【事件の表示】
　平成１０年特許願第　２８１６５号「電話機内の電子電話帳とともに用いるグラフィック・ユーザーインターフェース及びその電話機、並びに電話をかける方法」拒絶査定不服審判事件〔平成１０年１０月２３日出願公開、特開平１０−２８５２６３〕について、次のとおり審決する。
【結　論】
　本件審判の請求は、成り立たない。
【理　由】
１．手続の経緯と本願発明
　本願は、平成１０年２月１０日（パリ条約による優先権主張１９９７年２月１０日、米国）の出願であって、特許請求の範囲の請求項１に係る発明（以下、「本願発明」という。）は、平成２０年３月１９日付け手続補正書により補正された明細書及び図面の記載からみて、その特許請求の範囲の請求項１に記載された以下のとおりのものと認める。
　
　「セルラー電話機等の電話機内の電子電話帳とともに用いるグラフィック・ユーザーインターフェースにおいて、
　前記電話帳の電話番号をそれぞれのグラフィック識別子と関連付けるための手段と、
　前記グラフィック識別子を前記電話機のディスプレイスクリーンで表示するための手段と、
　前記表示手段上のグラフィック識別子を選択するための手段と、
　前記表示手段上のグラフィック識別子の選択に応答して、前記電話機を活動化させて前記のそれぞれの関連付けられた電話番号に電話をかけさせるための手段と、
　付加的なグラフィック情報を前記のそれぞれのグラフィック識別子とともに前記電話帳に記憶させ且つ前記電話番号と関連づけるための手段と、
　前記のそれぞれの関連付けられた電話番号への電話がつながったならば、前記の付加的なグラフィック情報と、関連付けられた電話番号とを前記のそれぞれの関連付けられた電話番号の電話機に送るための手段とを有することを特徴とするグラフィック・ユーザーインターフェース。」
　
２．引用発明
　原査定の拒絶の理由に引用された特開平８−２３７３９２号公報（以下、「引用例」という。）には「通信装置」に関し、図面とともに以下の事項が記載されている。
　
ア．「【０００６】
【発明の実施の形態】以下の実施例では、本発明をテレビ電話の様に画像表示用モニタを有する装置に適用した例が説明されるが、本発明はこれに限らず画像表示用モニタを別体として構成される装置であってもよい。又、相手画像を記憶する記憶部も同様、本体に設けられていてもよいし、又、別体として構成されていてもよい。
【０００７】又、本実施例では記憶媒体として磁気ディスクを用いた装置が開示されるが、媒体としては他の種類の媒体であってもよいし、例えば半導体メモリの如き固体メモリであってもよい。」（段落【０００６】−【０００７】）
　
イ．「【００１４】次に装置の各部の動作について説明する。
【００１５】通常のテレビ電話として用いられる時には、電話器１５により相手に電話をかけ、回線を継ぎ通話をする。送信の場合、ビデオカメラ１からの画像信号を増幅器２で増幅し、これをＡ／Ｄ変換器３でディジタルデータに変換し、Ｓ／Ｐ変換回路４及びメモリコントローラ５を介し、アドレスカウンタで指定されるアドレスのメモリ６内に画像が書き込まれる。メモリ６内に書き込まれたデータはアドレスカウンタ７のアドレスに従って、順次メモリコントローラ５を介し、Ｐ／Ｓ変換回路８、Ｄ／Ａ変換器９を経てビデオバッファ１０でバッファされ、モニター１１でモニターできる。画像データを送信する場合にはコントローラ２９からの指令により、ＣＰＵ２８がＮＣＵ１３を制御し、電話回線と電話器１５を切り離し、送信ラインＴと電話回線とを接続する。尚、メモリ６からの画像データを送信するのに先立ち、送信するデータが画像データであることを示すコマンドを画像データに付加し、次いで順次画像データが、メモリ６から読み出され、メモリコントローラ５、Ｐ／Ｓ変換回路８、Ｄ／Ａ変換器９を介して変調器１２に送られる。変調器１２で変調された信号はＮＣＵ１３を介して端子１４から電話回線に出力される。
【００１６】又、画像データを受信する場合には、端子１４から入力された画像データがＮＣＵ１３を介し、復調器１６で復調され、Ａ／Ｄ変換器１７でディジタルデータに変換される。変換されたディジタルデータは、Ｓ／Ｐ変換回路４でパラレルデータとなり、メモリコントローラ５を介し、画像データの先頭に付加されたコマンドをＣＰＵ２８が読みとり、画像データ受信の制御を行う。続いて画像データが順次メモリ６に書き込まれる。かかる書き込みが終了すると、書き込まれた画像データはメモリコントローラ５、Ｐ／Ｓ変換回路８、Ｄ／Ａ変換器９、ビデオバッファ１０を経てモニター１１でモニターされる。画像データ送受後、ＮＣＵ１３は自動的に電話回線１４を復調器１６から電話器１５を切り換え通話を行う。」（段落【００１４】−【００１６】）
　
ウ．「【００１７】次にスチルビデオフロッピーディスクに記録されている画像信号とともに、ＩＤデータが記録されている場合の動作について説明する。
【００１８】即ち、本実施例を記憶手段として用いられるスチルビデオフロッピーディスクは５０トラックを有し、各トラックにビデオ信号が一画面づつ記録され、なおかつ画像信号に重畳（周波数多重）してデータを記録できる。ＩＤデータは図２に示すように１トラックではＶＳＹＮＣスタート位置から２８Ｈ後にイニシャルビット、続いてフィールド／フレーム選択ビット、トラックＮＯ、年月日、ユーザーエリアの順にディジタルデータとして画像信号に周波数多重される。本実施例では例えばＤＰＳＫ変調し、ビデオ信号の低周波数域に重畳している。尚、イニシャルビットから年月日のエリアまでは４Ｈで１ビットであり、ユーザーエリアは２Ｈで１ビットが表現される。
【００１９】ユーザーエリアは５４ビット有り、数字を表示する場合、１数字４ｂｉｔ（φ〜９）を必要とするため、１３文字分入力できる。従って、例えば電話番号を書き込む場合には市外局番を含めても１０数字程度であるため十分入力できる。
【００２０】ここで本実施例におけるビット割り当てを図４を用いて説明する。
【００２１】図４において最初の４ビットはユーザーエリアに書き込まれている情報の種類を識別するための識別コードであり、このビットが例えば「１１１１」の場合、次の５０ビットは電話番号を示すデータであるとしている。
【００２２】したがって本実施例においては電話番号に割り当てられるビット数は５０であり、これは１２数字分の容量である。」（段落【００１７】−【００２２】）
　
エ．「【００２３】次に本発明の一実施例の装置の全体の動作を図５〜図７のフローチャートを用いて説明する。
【００２４】先ず、本実施例のテレビ電話を始動し、希望のモードを設定する。モードとしては通常テレビ電話モード、検索通話モード、相手登録がある。各モードは前述のスイッチ３０，３２の状態に応じステップ１（Ｓ１）で判別される。まずスイッチ３０，３２によるモードが設定されていないモード、即ち通常テレビ電話モードについて説明する。かかる場合には、図６のＡにフローは進む。Ｓ２に於いて、通常はハンドセット（受話器）が置かれ、送信あるいは受信待ちとなっている。ここで、もし相手側から電話がかかると受信モードに入り、Ｓ３で電話に出ることを促すようにベルが鳴る。電話に出ず相手側が電話を切ったなら、Ｓ４で回線切断とされ、図５の‘２’（当審注：引用例原文においては‘２’は○囲み数字の２で記載されている。以下同様に記す。）に進み、終了動作へ移る。もし電話に出るとフローはＳ４からＳ５へ移り、その時点で回線が接続される（Ｓ５）。この状態で通常の電話と同様、相手と話をし、相手側の電話が通常の電話あるいはテレビ電話であっても画像の送受を行わず、画像の送信を行う旨の信号が相手側から得られない。或いは相手側へ画像の送信を行うモードを指定するスイッチが操作されない場合は、Ｓ６，Ｓ７からＳ４へフローは進み、回線の接続が絶たれたか否かの判別を行う。回線が断たれた場合には‘２’へ進み終了動作へ移る。Ｓ５の通話で送信するとりきめができたら、使用者は画像送信モードスイッチの指示を行うことにより送信状態を設定し、Ｓ６で送信と判断されＳ９へ進む。
【００２５】Ｓ９ではビデオカメラから出力された画像信号はメモリ６を介してＤ／Ａ９へ出力される。これに依り、例えば自分の顔をビデオカメラ１で入力し、モニタ１１で確認することが出来る。Ｓ１０ではＯＫ／ＮＧスイッチによる指示に応じてモニタ１１に写しだされている映像が不都合な時はＳ９にフローは移り別の画像を入力する。操作者はモニタ１１上の画像を見ながら送信画像が決定したら、ＯＫ／ＮＧスイッチによるＯＫの操作でＳ１１においてその画像をメモリ６にフリーズする。フリーズ後、Ｓ１２でＮＣＵ１３を電話１５から変調器１２側と切り換えるとともに、デュアルトーン信号を発生し、相手側を画像受信モードにセットし、まずＣＰＵ２８は自分の電話番号をパルスに変換し、相手側に送出して次にメモリ６にフリーズした画像を送出する。Ｓ１３で画像送出が終了するまで、Ｓ１２をくり返し、かかる送出が終了したらＳ４へフローは移る。Ｓ４では回線が接続されているか否かを判別し、接続されているならＳ５に戻る。もし通話しないならフローは‘２’へ移り、回線切断を行い、終了動作（Ｓ４）へ移る。
【００２６】一方、Ｓ５の通話で、画像受信の取りきめができた、即ち画像の送信を行う旨の信号が相手側から得られた場合にはフローはＳ６，Ｓ７と進み、Ｓ７で画像受信と判断され、Ｓ１５に進み画像の受信動作へ入る。かかる判断は相手側から送出される。例えばデュアルトーン信号の有無によって行う。かかる画像受信の際には先ず、ＮＣＵ１３が電話１５を復調器１６側に切り換え、相手側から送出されるパルスを相手側の電話番号に変換し、ＣＰＵ内部のレジスタに蓄え、メモリ６に画像をとり込むようにする。メモリ６に蓄積された画像は、例えば図３に示す様にモニタ１１で見ることができる。
【００２７】尚、図３はモニタ１１上の表示例であり、画像データは図示する様に表示され、画像にインポーズしている数字はキャラクタジェネレータ４１によって生成されており、Ａ）はＣＰＵ２８内部のカレンダー回路によって表示される日付データ、Ｂ）は表示されている画像に対応した電話番号データである。Ｓ１６で画像受信が終了していなければＳ１５をくり返し、終了したならば回線をハンドセット側に切り換えて相手側と会話が出来る様にした後Ｓ４に進む。又、Ｓ２に於いて、電話をかける時は、電話１５のハンドセット（受話器）を取り、Ｓ１７で発呼動作、即ちダイアリングをし、相手を呼び出す。Ｓ１８で相手が出なければ、終了動作のため‘２’に進む。相手が出たならばＳ５以降へと進み、通話や画像の送受を行う。」（段落【００２３】−【００２７】）
　
オ．「【００２８】次に、Ｓ１で検索通話モードと判断された時について説明する。検索通話モードではフロッピーディスクに書き込まれた相手の画像と電話番号とを用いる。検索通話モードに入ったなら先ずＳ２１でセットされたフロッピーディスク２０はモーターサーボ回路１９により回転制御され、その後Ｓ２２でトラックＵＰ・ＳＷが押されればＳ２３でヘッド２１をＣＰＵ２８からの指令によりヘッドアクセス回路２２を駆動することで１トラック分移動する。Ｓ２２でトラックＵＰのためのスイッチ３４が押されていなければＳ２３へ進み、ここでトラックＤＯＷＮのためのスイッチ３５も押されていない時は、再びモード受け付け状態、即ちＳ１に戻る。Ｓ２３でトラックＤＯＷＮのためのスイッチ３５が押されているならば、Ｓ２４でヘッド２１を移動させ、１トラック分移動する。次にＳ２５で更に移動すべきトラックがなくなったと判断された場合は、前述の‘２’へ移り終了動作を行う。Ｓ２６では切り換えＳＷ２３をＡ側にして、ヘッド２１のアクセスしているトラックからの信号をＩＤビデオプロセス回路２５に取り込み、ここで再生信号からＩＤ分離及びデータへの変換と、映像信号処理を行い、映像信号はＩＤ及び映像はビデオバッファ１０を介してモニタ１１に出力される。そしてＳ２７において操作者からの希望の画像である指示がなされているかの判別を行い、指示がされていなければＳ２２に戻り、次の映像を捜す動作を行う。モニタ１１に再生された映像が検索したい映像であり、希望の画像である指示がスイッチ３６を用いて操作者によってなされたならば、Ｓ２８で先にＩＤビデオプロセス回路２５で分離処理したＩＤデータをＣＰＵ２８に読み込み、図２、図４に示すユーザーエリアの中の電話番号を取り出す。Ｓ２９でＩＤデータ中に電話番号が入力されていなければＳ４５で電話番号がないことをキャラクタジェネレータ４１を駆動し、モニタ１１に表示を行いこのことを警告する。Ｓ４６で電話器１５を用いてダイアリングを手動で行い、Ｓ４０へと進む。
【００２９】一方、Ｓ２９においてＩＤコードに電話番号が入力されることが判別されていたなら、Ｓ３０でＣＰＵ２８が電話番号によりＮＣＵ１３内に含まれるリレーあるいはＤＴＭＦ等を駆動し、ダイアリングを行う。Ｓ４０で、もし相手が出なければＳ４１へ進み、本実施例の装置の電源をＯＦＦし終りとするか、あるいは再びＳ１に戻りモード受け付け状態となる。回線が接続されたなら、Ｓ４２で相手と手順の通信を行い、画像の通信のモードの設定を行う。かかるモードの設定ができたならＳ４３で通信のモードが画像の通信を行うモードであるか否かが判断され‘７’へ進み、前述の画像送受動作を行う。もし画像の送受を行わないなら、Ｓ４２において通話を行い通話の終了がＳ４３で判別されればＳ４４で回線を切断し、Ｓ４１へ進み終了動作を行う。」（段落【００２８】−【００２９】）
　
カ．「【００３０】次にＳ１で登録モードが設定された時の動作について図７を用いて説明する。
【００３１】かかる登録モードにおいては相手の画像及び電話番号をフロッピーディスクに記録し、検索用ディスクを作成する。先ずＳ５０で画像入力の選択をする。例えば既に相手から送られてきてメモリに蓄積されている画像に対し、電話番号を付加し、記録する場合であれば、Ｓ５１においてメモリ６からデータを読み出す様にメモリコントローラ５を制御してＰ／Ｓ８，Ｄ／Ａ９及びスイッチ５１を介してアナログ信号に変換された映像信号をＩＤビデオ記録回路２６に加え記録を行う。
【００３２】又、メモリ６に書き込まれた画像データをフロッピーディスクに記録するに際しては前述のＳ１５においても説明した様に相手側からの画像データを受信するに際しては相手側の電話番号をＣＰＵ２８は内部のレジスタに記憶しており、かかる記憶した電話番号を図２、図４のエリアに示す様にＤＰＳＫ変調して画像データと周波数多重して記録する。
【００３３】一方、Ｓ５０においてビデオカメラ１から入力を選択した場合、Ｓ５２においてビデオカメラ１から取り込んだ画像、例えば登録したい、例えば写真などの相手の顔の画像をビデオカメラ１によって光電変換して得た画像信号を一旦メモリ６に取り込む。メモリ６に取り込まれた画像信号はメモリコントローラ５によってＰ／Ｓ８，Ｄ／Ａ９を介して読み出され、モニタ１１に表示される。またかかる表示とともにモニタ１１には登録したい画像とともに表示している画像が登録してもよい画像であるか否かの指示が操作者から入力されることを促す表示を行う様にキャラクタジェネレータ４１を駆動する。
【００３４】操作者はこのモニタ１１上の表示をみて、かかる画像を登録してよいか否かの指示をＯＫ／ＮＧスイッチによって入力する。かかるスイッチからの入力がＮＧの場合にはＳ５２−４でメモリをクリアし、スイッチ５１を増幅器２側へ切り換えた後Ｓ５２−１へフローは移り、取り込みスイッチがオンであるか否かを判別し、再び画像の取り込みを行う。
【００３５】Ｓ５３においてＯＫ／ＮＧスイッチからの入力がＯＫの場合にはＳ５４においてスイッチ５１をＤ／Ａ９側に切り換え記録の準備を行う。更にモニタ１１上にメモリ６に取り込んだ画像とともに登録すべき電話番号（Ｔｅｌ  Ｎｏ）入力を促す表示を行う。
【００３６】かかる表示はＣＰＵ２８がキャラクタジェネレータ４１を駆動することによって行う。又ハンドセット１５によって行ってもよいし、ＣＰＵ２８と直接又は間接に接続されたテンキーによって行ってもよい。Ｔｅｌ  Ｎｏ入力が完了すればＳ５６からフローはＳ５７へ移り、スイッチ２３を増幅器２４側に切り換えレベル判別回路５０によってヘッド２１のアクセスしているトラックが未登録トラックであるか否かを判別する（Ｓ５８）。ここで未記録でなければＳ５９で最終トラックであるかを判別し、最終トラックでなければヘッド２１を１トラック分シフトさせて再び判別を行わせる（Ｓ５７）。
【００３７】ヘッド２１のアクセスしているトラックが未記録であればＳ５８からＳ５９へフローは移り、スイッチ２３をＢ側に切り換えメモリ６から画像信号を読み出すとともにＳ５５，Ｓ５６において入力された電話番号を前記画像信号に周波数多重して記録を行う。
【００３８】又、Ｓ５９において最終トラックであることが判別された際にはキャラクタジェネレータ４１を駆動してモニタ１１上に登録が出来ない旨を表示させる（Ｓ６０）。スイッチ３２によって設定させる登録モードが解除されていなければＳ６２からフローはＳ５０へ戻る。一方、登録モードが解除されればフローは‘２’へ戻る。」（段落【００３０】−【００３８】）
　
　上記引用例の記載及び図面ならびにこの分野における技術常識を考慮すると、引用例の「通信装置」について以下の事項を読み取ることができる。
ａ．装置はテレビ電話として用いられる（摘記事項ア）。
ｂ．フロッピーディスクには画像信号に重畳してＩＤデータが記録されており（摘記事項ウの段落【００１７】）、該ＩＤデータは電話番号を含み（摘記事項ウの段落【００１９】）、検索通話モードでの発呼時には上記フロッピーディスクの画像信号は相手の画像としてモニタ１１に表示出力される（摘記事項オの段落【００２８】）。
ｃ．登録モードにおいて、画像入力としてビデオカメラ１からの入力を選択した場合、該画像信号は一旦メモリ６に取り込まれた後で該メモリ６読み出され、画像とともに登録すべき電話番号と重畳（周波数多重）されてフロッピーディスクの空きトラックに登録される（摘記事項カ、図７）。
ｄ．検索通話モードにおいて、フロッピーディスクから読み出されモニタ１１に再生された画像が希望の画像である指示が操作者によってなされたときに、該画像に対応した電話番号にダイヤリングされる（摘記事項オの段落【００２８】、図５）。
ｅ．通常テレビ電話モードにおいて、電話機１５により相手に電話をかけ、回線を継いだときに、送信ラインＴと電話回線が接続されメモリ６からの画像データが相手に送信される（摘記事項イの段落【００１５】）が、その際には、まずＣＰＵ２８は自分の電話番号をパルスに変換し相手側に送出して次にメモリ６にフリーズした自分の画像を送出する（摘記事項エの段落【００２５】）。
ｆ．上記ａ〜ｅの各構成および操作は、通信装置の操作者がそのモニタ１１に表示された画像を介して通信装置の動作を制御するものであるから全体としてグラフィック・ユーザーインターフェースと言い得るものである。
　
　以上を総合すると、上記引用例には以下の発明（以下、「引用発明」という。）が開示されている。
「テレビ電話のフロッピーディスクに記録された電話番号と画像信号とともに用いるグラフィック・ユーザーインターフェースにおいて、
　前記電話番号と画像信号を重畳して記録するフロッピーディスクと、
　前記フロッピーディスクの画像信号を画像として画面に表示するモニタ１１と、
　前記モニタ１１上の希望の画像を指示するための手段と
　前記モニタ１１上の希望の画像の指示に応答して、該画像に対応した電話番号にダイヤリングする手段と、
　ビデオカメラ１から入力された画像信号と該画像信号の画像とともに登録すべき電話番号とを重畳してフロッピーディスクの空きトラックに登録する手段と、
　相手の電話番号に電話がつながったならば、メモリ６にフリーズした自分の画像と自分の電話番号とを相手の電話番号の電話に送信する手段とを有するグラフィック・ユーザーインターフェース。」
　
３．対比
　本願発明と引用発明とを対比するに、
ａ．引用発明の「フロッピーディスクに記録された電話番号と画像信号」は、検索通話モードで発呼する際に用いられる電子データであるから、本願発明の「電子電話帳」に相当する。
ｂ．引用発明のフロッピーディスクに記録された「画像信号」は検索通話モードで発呼する際にモニタ１１に画像として表示され通話相手を識別するために用いられるものであるから、本願発明の「グラフィック識別子」に相当する。
ｃ．引用発明の電話番号と画像信号とは重畳されてフロッピーディスクに記録されており、この状態は両者がフロッピーディスクによって関連付けられていると言うことができるから、引用発明の「前記電話番号と画像信号を重畳して記録するフロッピーディスク」は本願発明の「前記電話帳の電話番号をそれぞれのグラフィック識別子と関連付けるための手段」に相当する。
ｄ．引用発明の「画像として画面に表示」された「フロッピーディスクの画像信号」は上記ｂ．に記したように本願発明の「グラフィック識別子」に相当し、また、引用発明の「モニタ１１」は本願発明の「ディスプレイスクリーンに表示するための手段」に相当する。
ｅ．引用発明の「希望の画像を指示する」ことは「画像（グラフィック識別子）を選択する」ことと同義であると認められるから、引用発明の「前記モニタ１１上の希望の画像を指示するための手段」は本願発明の「前記表示手段上のグラフィック識別子を選択するための手段」に相当し、引用発明の「前記モニタ１１上の希望の画像の指示に応答」することは本願発明の「前記表示手段上のグラフィック識別子の選択に応答」することに相当する。
ｆ．引用発明の「該画像に対応した電話番号」はフロッピーディスクに記録された画像信号に対応した電話番号を意味するから、本願発明の「前記のそれぞれの関連付けられた電話番号」に相当し、引用発明の「ダイヤリングする」ことは「電話機を活動化」し、「電話をかけさせること」と同義と認められる。
ｇ．引用発明の「ビデオカメラ１から入力された画像信号」はフロッピーディスクの空きトラックに新たに追加的に登録される画像信号であるからこれを「付加的なグラフィック情報」と称することができ、追加的に登録された結果既に登録済みの他の画像情報である「前記のそれぞれのグラフィック識別子」とともにフロッピーディスクに記憶されることとなることは自明である。さらに、引用発明の「ビデオカメラ１から入力された画像信号」は「該画像信号の画像とともに登録すべき電話番号と重畳」されて登録されるから「前記電話番号と関連づけ」られていると言い得るものである。
ｈ．本願発明の「前記のそれぞれの関連付けられた電話番号への電話がつながったならば」および「前記のそれぞれの関連付けられた電話番号の電話機に送る」の構成における「電話番号」とはグラフィック情報や電話番号を送信する相手先の電話番号であるから、それぞれ引用発明の「相手の電話番号への電話がつながったならば」、「相手の電話番号の電話に送信する」の構成と共通している。また、引用発明の「メモリ６にフリーズした自分の画像」は「グラフィック情報」と言い得るものであり、「自分の電話番号」は上記自分の画像に「関連付けられた電話番号」である点で共通している。
　
　したがって、両発明は以下の点で一致ないし相違している。
　
（一致点）
　「電子電話帳とともに用いるグラフィック・ユーザーインターフェースにおいて、
　前記電話帳の電話番号をそれぞれのグラフィック識別子と関連付けるための手段と、
　前記グラフィック識別子をディスプレイスクリーンで表示するための手段と、
　前記表示手段上のグラフィック識別子を選択するための手段と、
　前記表示手段上のグラフィック識別子の選択に応答して、前記電話機を活動化させて前記のそれぞれの関連付けられた電話番号に電話をかけさせるための手段と、
　付加的なグラフィック情報を前記のそれぞれのグラフィック識別子とともに前記電話帳に記憶させ且つ前記電話番号と関連づけるための手段と、
　相手の電話番号への電話がつながったならば、グラフィック情報と、関連付けられた電話番号とを相手の電話番号の電話機に送るための手段とを有するグラフィック・ユーザーインターフェース。」
　
（相違点１）
　本願発明では電子電話帳が「セルラー電話機等の電話機内」にあり、ディスプレイスクリーンが「電話機のディスプレイスクリーン」であるのに対し、引用発明ではそのような限定が無い点。
（相違点２）
　「相手の電話番号への電話がつながったならば、グラフィック情報と、関連付けられた電話番号とを相手の電話番号の電話機に送るための手段」に関し、
　送り先が、本願発明では「前記のそれぞれの関連付けられた電話番号」であるのに対し、引用発明では「相手の電話番号」であり、
　送られる情報が、本願発明では「前記の付加的なグラフィック情報と、関連付けられた電話番号」であるのに対し、引用発明では「メモリ６にフリーズした自分の画像と自分の電話番号」である点。
　
４．検討
　そこで、上記相違点につき検討する。
（相違点１）
　上記摘記事項アには、テレビ電話のように画像表示用モニタを有する装置に適用してもよい旨の記載があり、また、電子電話帳を電話機内に設けることは常套手段に過ぎない。そして、テレビ電話を例として開示された引用発明をセルラー電話機に適用することにも格別の困難性は見当たらない。
　したがって、上記相違点１に係る限定は格別の相違とすることはできない。
（相違点２）
　本願発明の「前記のそれぞれの関連付けられた電話番号」とは電話帳においてグラフィック識別子に関連付けられた電話番号を意味するものと認められるが、引用発明において相手の電話番号に発呼する際にフロッピーディスクに記録された電子電話帳の電話番号を用いることは当業者が必要に応じて適宜採用し得ることに過ぎない。
　また、引用発明における付加的なグラフィック情報である「ビデオカメラ１から入力された画像信号」と相手の電話に送信されるグラフィック情報である「メモリ６にフリーズした自分の画像」とを比較するに、両者はそれぞれ「登録モード」と「通常テレビ電話モード」における画像データを意味するという相違はあるものの、両者ともビデオカメラ１から入力されてメモリ６に取り込まれた画像データである点で一致しており、さらに、「通常テレビ電話モード」で受信されてメモリ６に蓄積された画像が「登録モード」においてフロッピーディスクに記録される（摘記事項イの段落【００１６】、摘記事項カの段落【００３１】）ことを勘案すれば、引用発明において「登録モード」で撮像した画像を「通常テレビ電話モード」において送信される画像として使用する程度のことは、当業者であれば容易に想到し得るものと認められる。
　したがって、上記相違点２は格別の相違とすることはできない。
　
　そして、本願発明の作用・効果も引用発明から当業者が予測し得る範囲のものである。
　
５．むすび
　以上のとおり、本願発明は、上記引用例に記載された発明に基づいて、当業者が容易に発明をすることができたものと認められるから、特許法第２９条第２項の規定により特許を受けることができない。
　
　よって、結論のとおり審決する。